(57)【要約】【課題】コネクタ端子接続体及びコネクタ接続体において、雄型コネクタ端子と雌型コネクタ端子との摺動を抑制することにより、雄型コネクタ端子と雌型コネクタ端子との接触部における接触抵抗の増加等を抑えることである。【解決手段】雄型コネクタ端子を雌型コネクタ端子に接続したコネクタ端子接続体１０であって、雄型コネクタ端子は、導線１４が接続されたプラグ１６を挿入する挿入部１８を有し、プラグ１６を挿入部１８に挿入した状態で外向きに拡張する雄型導電体１２を備え、雌型コネクタ端子は、雄型導電体１２を嵌め込む嵌め込み部２８を有し、嵌め込み部２８に嵌め込まれた雄型導電体１２の拡張により、雄型導電体１２に圧接する雌型導電体２４を備え、プラグ１６を挿入部１８に挿入して、雄型コネクタ端子を雌型コネクタ端子に固定させるとともに、導線１４を雄型コネクタ端子に固定することである。【選択図】図１
2007141703.tif 000002
【特許請求の範囲】
【請求項１】
雄型コネクタ端子を雌型コネクタ端子に接続したコネクタ端子接続体であって、
雄型コネクタ端子は、
導線が接続されたプラグを挿入する挿入部を有し、プラグを挿入部に挿入した状態で外向きに拡張する雄型導電体を備え、
雌型コネクタ端子は、
雄型導電体を嵌め込む嵌め込み部を有し、嵌め込み部に嵌め込まれた雄型導電体の拡張により、雄型導電体に圧接する雌型導電体を備え、
プラグを挿入部に挿入して、雄型コネクタ端子を雌型コネクタ端子に固定させるとともに、導線をプラグで固定することを特徴とするコネクタ端子接続体。
【請求項２】
請求項１に記載のコネクタ端子接続体を有することを特徴とするコネクタ接続体。
【発明の詳細な説明】
【技術分野】
【０００１】
本発明は、コネクタ端子接続体及びコネクタ接続体に係り、特に、雄型コネクタ端子を雌型コネクタ端子に接続したコネクタ端子接続体及びコネクタ接続体に関する。
【背景技術】
【０００２】
車両の電気系統には、高圧コネクタ等のコネクタが用いられており、雄型コネクタを雌型コネクタに嵌め込むことで電気的に接続される。そして、雄型コネクタは、雄型コネクタ端子を含んで構成されており、雌型コネクタは、雌型コネクタ端子を含んで構成されている。
【０００３】
図３は、従来における雌型コネクタ端子に雄型コネクタ端子を嵌め込んで接続したコネクタ端子接続体３０を示す模式図であり、図３（Ａ）は、雄型コネクタ端子の挿入方向と直交する方向における断面図で、図３（Ｂ）は、雄型コネクタ端子の挿入方向に沿った断面図である。雌型コネクタ端子３２は、導電部３６と、雄型コネクタ端子３４が嵌め込まれる部分に配置される雄型コネクタ端子３４の導電面と接触するリブ３８と、リブ３８に対向して配置される板バネ等の弾性部材４０とを有している。雄型コネクタ端子３４には、半田付け等により導線が接続されており、雄型コネクタ端子３４の導電面には、錫めっき等の金属めっきが施されている。雄型コネクタ端子３４は、リブ３８と板バネ等の弾性部材４０とに挟まれて支持されている。そして、雄型コネクタ端子３４の導電面が、雌型コネクタ端子３２のリブ３８と接触することにより、雄型コネクタ端子３４と雌型コネクタ端子３２とが導通する。
【０００４】
また、コネクタとして特許文献１には、ピン挿入孔を有するコネクタに結合される電気コネクタにおいて、上記電気コネクタは、少なくとも一ヶ所の拡張可能な導通部とテ―パを有する内腔とを有し軸芯に沿って突出し上記ピン挿入孔に挿入されるピンと、上記ピンに螺合しこのピンのターミナルラグ当接面との間でターミナルラグを締めるターミナルファスナと、上記ピンに螺合して突出したエキスパンダロッドとこのエキスパンダロッドの先端に、上記ピンのテーパを有する内腔内に位置して上記導体部を外方へ調節可能に拡張させる截頭円錐状のチップとを有するエキスパンダエレメントとからなることを特徴とする電気コネクタが示されている。
【０００５】
【特許文献１】特開昭５８−１０６７７５号公報
【発明の開示】
【発明が解決しようとする課題】
【０００６】
上述したようなコネクタ端子接続体を用いた場合には、雄型コネクタ端子を上下方向のみで押さえているため、エンジンの振動または車両の振動や、冷熱時の熱膨張または熱収縮により雄型コネクタ端子と雌型コネクタ端子との接触部での微小な摺動が生じる場合がある。そして、このような場合には、雄型コネクタ端子と雌型コネクタ端子との接触部での微小な摺動により、雄型コネクタ端子の錫めっき等の金属めっきが施されている導電面が摩擦され、酸化錫等の金属酸化物が形成される。
【０００７】
上記のように、雄型コネクタ端子の導電面に金属酸化物が形成されると、雄型コネクタ端子と雌型コネクタ端子との接触部における接触抵抗が増加する。それにより、雄型コネクタ端子と雌型コネクタ端子との接触部における温度が上昇する可能性がある。雌型コネクタ端子を保持している雌型コネクタの基板は、一般的に、絶縁性を持たせるために合成樹脂材料が用いられている。そのため、雄型コネクタ端子と雌型コネクタ端子との接触部における温度が過剰に上昇すると、合成樹脂材料が軟化して雌型コネクタの溶損が生じる可能性がある。
【０００８】
また、コネクタに大電流を流す場合には、雄型コネクタ端子の板厚が厚くなるため雄型コネクタ端子の剛性が高くなる。そのため、上述したようなコネクタ端子接続体を用いた場合には、雄型コネクタ端子の雌型コネクタ端子への挿入荷重を下げるために、雄型コネクタ端子の両端と雌型コネクタ端子の内周面には所定のクリアランスが必要となる。
【０００９】
そして、コネクタ端子接続体の組み立てにおいては、一般的に、雄型コネクタ端子に導線を半田付け等した後に雄型コネクタ端子を雌型コネクタ端子に嵌め込み、更に、雄型コネクタ端子に接続された導線を、固定具等により固定するためコネクタ端子接続体の組み立て作業が煩雑なものとなり組み立てコストが増える可能性がある。
【００１０】
そこで、本発明の目的は、雄型コネクタ端子と雌型コネクタ端子との摺動を抑制することにより、雄型コネクタ端子と雌型コネクタ端子との接触部における接触抵抗の増加等を抑えたコネクタ端子接続体及びコネクタ接続体を提供することである。そして、他の目的は、組み立てコストを低減したコネクタ端子接続体及びコネクタ接続体を提供することである。以下の手段は、上記目的の少なくとも１つに貢献するものである。
【課題を解決するための手段】
【００１１】
本発明に係るコネクタ端子接続体は、雄型コネクタ端子を雌型コネクタ端子に接続したコネクタ端子接続体であって、雄型コネクタ端子は、導線が接続されたプラグを挿入する挿入部を有し、プラグを挿入部に挿入した状態で外向きに拡張する雄型導電体を備え、雌型コネクタ端子は、雄型導電体を嵌め込む嵌め込み部を有し、嵌め込み部に嵌め込まれた雄型導電体の拡張により、雄型導電体に圧接する雌型導電体を備え、プラグを挿入部に挿入して、雄型コネクタ端子を雌型コネクタ端子に固定させるとともに、導線をプラグで固定することを特徴とする。
【００１２】
また、本発明に係るコネクタ接続体は、雄型コネクタ端子を雌型コネクタ端子に接続したコネクタ端子接続体を有するコネクタ接続体であって、雄型コネクタ端子は、導線が接続されたプラグを挿入する挿入部を有し、プラグを挿入部に挿入した状態で外向きに拡張する雄型導電体を備え、雌型コネクタ端子は、雄型導電体を嵌め込む嵌め込み部を有し、嵌め込み部に嵌め込まれた雄型導電体の拡張により、雄型導電体に圧接する雌型導電体を備え、プラグを挿入部に挿入して、雄型コネクタ端子を雌型コネクタ端子に固定させるとともに、導線をプラグで固定することを特徴とするコネクタ端子接続体を有することを特徴とする。
【発明の効果】
【００１３】
上記のコネクタ端子接続体及びコネクタ接続体によれば、プラグにより雄型コネクタ端子を雌型コネクタ端子に固定させるとともに、導線をプラグで固定するため雄型コネクタ端子と雌型コネクタ端子との摺動を抑制して、雄型コネクタ端子と雌型コネクタ端子との接触部における接触抵抗の増加等を抑えることができる。そして、コネクタ端子接続体及びコネクタ接続体の組み立てコストを低減することができる。
【発明を実施するための最良の形態】
【００１４】
以下に図面を用いて本発明に係る実施の形態につき、詳細に説明する。図１は、コネクタ端子接続体の構成を示す模式図であり、図１（Ａ）は、雄型コネクタ端子の挿入方向に沿った断面図であり、図１（Ｂ）は、雄型コネクタ端子の挿入方向と直交する方向における断面図である。コネクタ端子接続体１０は、雄型コネクタ端子と雌型コネクタ端子とを含んで構成される。
【００１５】
雄型コネクタ端子は、雌型コネクタ端子と電気的に接続させるための雄型導電体１２を有している。そして、雄型導電体１２は、中空で扁平リング状の断面形状を有する部材であり、導線１４が接続されたプラグ１６を挿入する挿入部１８を有し、プラグ１６を挿入部１８に挿入した状態で外向きに拡張する機能を有している。図１（Ｂ）に示すように、プラグ１６の挿入方向と直交する方向における挿入部１８の断面の高さＨは、プラグ１６を挿入部１８に挿入した状態で外向きに拡張させるために、プラグ１６の外径よりも小さくなるように設定される。そして、プラグ１６の挿入方向に沿った挿入部１８の長さは、雄型導電体１２の長さと略同じに設定することができる。更に、雄型導電体１２の挿入方向における先端部には、テーパを設けることもできる。また、雄型導電体１２には、導線１４を固定するための止め具２０が、雄型導電体１２の挿入方向における先端部と反対側に配置される。
【００１６】
雄型導電体１２の材料は、一般的に、銅やアルミニウム等の金属材料が用いられる。勿論、他の条件次第では、金属材料に限定されることはなく、他の導電性材料を用いることができる。雄型導電体１２の成形は、まず、金属材料の薄板をプレス加工や切削加工等により所定の形状に加工して、前段階の成形体を成形する。それから、断面が中空で扁平リング状の断面形状となるように、前段階の成形体を折り曲げ加工して雄型導電体１２を成形することができる。勿論、他の条件次第では、上記の成形加工方法に限定されることはなく、他の成形加工方法を用いてもよい。
【００１７】
プラグ１６は、略釘状の形状を有する部材であり、雄型導電体１２の挿入部１８に挿入されて、雄型導電体１２を外向きに拡張させる機能を備えている。プラグ１６の外径は、上述したように、雄型導電体１２を外向きに拡張させるために、挿入部１８における断面の高さＨよりも大きくなるように設定される。また、プラグ１６の長さは、プラグ１６に導線１４が接続されるために、雄型導電体１２の長さよりも長くなるように設定される。プラグ１６の挿入方向における先端部には、テーパを設けることができる。そして、プラグ１６の挿入方向における先端部と反対側の端部には、プラグ１６を雄型導電体１２の挿入部１８に打ち込みやすいようにするために、または、導線１４がプラグ１６から外れにくいようにするために頭部２２が配置される。
【００１８】
また、図１では１本のプラグ１６を挿入部１８に挿入する場合を示しているが、プラグ１６の本数は１本に限定されることはなく複数のプラグ１６を用いることができる。また、プラグ１６のかわりに、ボルトまたはピン等を用いることができる。プラグ１６を雄型導電体１２の挿入部１８に挿入するかわりに、ボルトを挿入部１８に差し込んでボルト締めすることでも雄型導電体１２を外向きに拡張させることができるからである。プラグ１６は、導線１４と接続するために、導線１４の先端を覆った止め具２０に通した状態で導線１４と接触させる。
【００１９】
プラグ１６の材料は、一般的に、銅やアルミニウム等の金属材料が用いられる。勿論、他の条件次第では、金属材料に限定されることはなく、他の導電性材料を用いることができる。プラグ１６の成形は、金属材料の棒材等を切削加工等により所定の形状に加工して成形することができる。勿論、他の条件次第では、上記の成形加工方法に限定されることはなく、他の成形加工方法を用いてもよい。
【００２０】
雌型コネクタ端子は、雄型コネクタ端子と電気的に接続させるための雌型導電体２４を有している。そして、雌型導電体２４は、中空で矩形状の断面形状を有する部材であり、雄型導電体１２を嵌め込む嵌め込み部２８を有し、嵌め込み部２８に嵌め込まれた雄型導電体１２の拡張により、雄型導電体１２に圧接する機能を備えており、雌型コネクタ基板２６に配置される。
【００２１】
雄型導電体１２の嵌め込み方向と直交する方向における嵌め込み部２８の断面の大きさは、雄型導電体１２を嵌め込むために、雄型導電体１２の外形の大きさより大きくなるように設定される。そして、更に、雄型導電体１２の嵌め込み方向と直交する方向における嵌め込み部２８の断面の大きさは、雄型導電体１２の挿入部１８にプラグ１６を挿入した状態で雄型導電体１２が外向きに拡張したときに、雄型導電体１２と雌型導電体２４とが圧接するように設定される。また、雄型導電体１２を嵌め込む方向に沿った雌型導電体２４の長さは、雄型導電体１２の長さと略同じ長さとなるように設定することができる。
【００２２】
雌型導電体２４の材料は、一般的に、銅やアルミニウム等の金属材料が用いられる。勿論、他の条件次第では、金属材料に限定されることはなく、他の導電性材料を用いることができる。雌型導電体２４の成形は、まず、金属材料の薄板をプレス加工や切削加工等により所定の形状に加工して、前段階の成形体を成形する。それから、断面が、中空で矩形状の断面形状を有するように前段階の成形体を折り曲げ加工して雌型導電体２４を成形することができる。勿論、他の条件次第では、上記の成形加工方法に限定されることはなく、他の成形加工方法を用いてもよい。そして、雌型導電体２４は、例えば、接着剤等による接着により雌型コネクタ基板２６に固定される。
【００２３】
つぎに、コネクタ端子接続体１０の組み立て方法について説明する。図２は、コネクタ端子接続体の組み立て方法を示す図であり、図２（Ａ）は、コネクタ端子接続体１０の各要素を示す図であり、図２（Ｂ）は、雌型導電体２４の嵌め込み部２８に雄型導電体１２を嵌め込んだ状態を示す図であり、図２（Ｃ）は、コネクタ端子接続体１０の完成図である。まず、図２（Ａ）に示すように、コネクタ端子接続体１０の各要素である雌型導電体２４を含む雌型コネクタ端子と、雄型導電体１２を含む雄型コネクタ端子と、導線１４とプラグ１６とが準備される。
【００２４】
上述したコネクタ端子接続体１０の各要素を準備した後、図２（Ｂ）に示すように、雌型導電体２４の嵌め込み部２８に雄型導電体１２を嵌め込む。そして、雄型導電体１２に接続された止め具２０で導線１４を覆い、止め具２０にプラグ１６を通してプラグ１６と導線１４とを接続させる。
【００２５】
そして、導線１４が接続されたプラグ１６の頭部２２を治具等を用いて打ち込むことにより、プラグ１６を雄型導電体１２の挿入部１８に挿入する。プラグ１６が雄型導電体１２の挿入部１８に挿入されると、雄型導電体１２は外向きに拡張する。拡張した雄型導電体１２は、雌型導電体２４と圧接して、図２（Ｃ）に示すようにコネクタ端子接続体１０の組み立てが完了する。雄型導電体１２が、雌型導電体２４と圧接することにより雄型コネクタ端子は雌型コネクタ端子に固定され、雄型コネクタ端子と雌型コネクタ端子とは電気的に接続する。そして、プラグ１６には導線１４が接続されているため、雄型コネクタ端子が雌型コネクタ端子に固定されると同時に導線１４もプラグ１６で固定される。
【００２６】
したがって、上記のコネクタ端子接続体によれば、雄型コネクタ端子と雌型コネクタ端子との摺動を抑制することにより、雄型コネクタ端子と雌型コネクタ端子との接触部における接触抵抗の増加、摩擦による発熱量の増加を抑えることができる。そして、更に、プラグを挿入部に挿入して、雄型コネクタ端子を雌型コネクタ端子に固定させるとともに、導線をプラグで固定するためにコネクタ端子接続体の組み立てコストを低減することができる。
【００２７】
上記のコネクタ端子接続体によれば、雄型コネクタ端子挿入時のセルフアライメント機能が向上する事により、雄型コネクタ端子が傾いて、片当たりすることによる接触抵抗の増加が防止できる。また、雄型コネクタ端子を雌型コネクタ端子に嵌め込むときに、雄型コネクタ端子の導電面に発生する傷を防ぐことができるので、接触抵抗が低くなるようにすることができる。そして、雄型コネクタ端子の導電面に発生する傷を防ぐために用いていた潤滑用グリスを省くことができる。
【００２８】
上記のコネクタ端子接続体によれば、雄型コネクタ端子を雌型コネクタ端子に嵌め込むときの力を低減できるので、雄型コネクタ端子と雌型コネクタ端子との接続作業を容易に行うことができ作業性が向上する。また、雄型コネクタ端子と雌型コネクタ端子とが強固に接続することにより、従来、雄型コネクタまたは雌型コネクタのホルダーを固定するために用いていたボルトの数を削減することができる。
【００２９】
さらに、上記のコネクタ端子接続体によれば、雌型コネクタ端子に、雄型コネクタ端子を支持するための板バネ等が不要になるため、コネクタ端子接続体を小型化することができる。
【図面の簡単な説明】
【００３０】
【図１】本発明に係る実施の形態であるコネクタ端子接続体１０の構成を示す模式図である。
【図２】本発明に係る実施の形態であるコネクタ端子接続体１０の組み立て方法を示す図である。
【図３】従来における雌型コネクタ端子に雄型コネクタ端子を嵌め込んで接続したコネクタ端子接続体３０を示す模式図である。
【符号の説明】
【００３１】
１０、３０  コネクタ端子接続体、１２  雄型導電体、１４  導線、１６  プラグ、１８  挿入部、２０  止め具、２２  頭部、２４  雌型導電体、２６  雌型コネクタ基板、２８  嵌め込み部、３２  雌型コネクタ端子、３４  雄型コネクタ端子、３６  導電部、３８  リブ、４０  弾性部材。
【図１】
2007141703.tif 000003
【図２】
2007141703.tif 000004
【図３】
2007141703.tif 000005